(57)【要約】【課題】足指の股に四本の清掃用部材を挿入することで足指の股を洗浄する足清掃具において、一つの足用の清掃具で、異なる大きさの足に対応できるようにする。【解決手段】足清掃具として、外周面が繊維質またはスポンジ質の材料で形成された棒体又は紐体からなる清掃用部材を四本横に並べた構成を有する清掃部であって、外側の二本の清掃用部材は一端側から他端側に向かって互いの間隔が徐々に狭くなる部分である傾斜部分を有し、内側の二本の清掃用部材は平行又は一端側から他端側に向かって互いの間隔が徐々に狭くなる部分を有する清掃部と、前記清掃用部材の一端側すべてを固定する棒状体又はブロック体からなる第一支持部と、前記清掃用部材の他端側すべてを固定する棒状体又はブロック体からなる第二支持部と、前記第一支持部と前記第二支持部とが一定間隔を保持するように第一支持部と、第二支持部とを連結固定する連結固定部とから構成する。【選択図】  図１
2014057629.tif 000002
【特許請求の範囲】
【請求項１】
少なくとも外周面が繊維質またはスポンジ質の材料で形成された棒体又は紐体からなる清掃用部材を四本横に並べた構成を有する清掃部であって、外側の二本の清掃用部材は一端側から他端側に向かって互いの間隔が徐々に狭くなる部分である傾斜部分を有し、内側の二本の清掃用部材は紐体又は可撓性のある棒体からなり、前記傾斜部分に重なる範囲において、平行又は一端側から他端側に向かって互いの間隔が徐々に狭くなる部分を有するものである清掃部と、
前記清掃用部材の一端側すべてを固定する棒状体又はブロック体からなる第一支持部と、
前記清掃用部材の他端側すべてを固定する棒状体又はブロック体からなる第二支持部と、
前記第一支持部と前記第二支持部とが一定間隔を保持するように第一支持部と、第二支持部とを連結固定する連結固定部と
を有する足清掃具。
【請求項２】
前記清掃用部材の内の外側の二本と内側の二本とは各清掃用部材の配列方向に直交する方向に互いにずれている請求項１に記載の足清掃具。
【請求項３】
前記清掃用部材の内の少なくとも外側の二本は、各清掃用部材の配列方向に直交する方向に突出するように湾曲している棒体により形成される請求項１又は２に記載の足清掃具。
【請求項４】
前記清掃用部材は１以上の棒体で構成されるとともに、この内の少なくとも一つが前記連結固定部を兼ねるものである請求項１から３のいずれか１項に記載の足清掃具。
【請求項５】
前記第一支持部と前記第二支持部のいずれか一方は、外側と内側のそれぞれを構成する隣接する二本の清掃用部材の端部を固定する部分に二分され、当該各部分に端部が固定される二本の清掃用部材のうち、いずれか一本は可撓性のある棒体により形成され、他方は可撓性のある棒体又は紐体により形成されるものである請求項１から４のいずれか１項に記載の足清掃具。
【請求項６】
前記第一支持部と前記第二支持部のいずれか一方と、前記連結固定部を設けることに代えて、前記清掃用部材を全て棒体で構成した請求項１から３のいずれか１項に記載の足清掃具。
【請求項７】
前記第一支持部材又は前記第二支持部材にかかと用やすりが設けられる請求項１から６のいずれか1項に記載の足清掃具。
【発明の詳細な説明】
【技術分野】
【０００１】
本発明は、足の指と指の間を洗うために用いる器具に関する。
【背景技術】
【０００２】
入浴時において足の指と指の間を洗うには、手の指先やボディタオルを足指の間に挿入して洗うことが一般的である。しかし、手の指先での洗浄はうわべだけのもので垢や雑菌を除去するのに効果的な清掃とは言い難く、ボディタオルを用いる場合は、８箇所ある指の股ごとにボディタオルを挿入して洗うことは手間であり非効率である。また、足に悪臭や水虫などがある場合、足指を洗浄したボディタオルで体を洗うことに抵抗感を持つ人も多い。
これに対して、下記特許文献には、４本の清掃棒を基部本体に立設した足指用の清掃具が示されている。このような清掃具を用いると、一度に片足の全ての足指間に清掃棒を挿入できるので、効率的であり、ボディタオルとは別に足指を洗うことができるので衛生的である。
【先行技術文献】
【特許文献】
【０００３】
【特許文献１】実用新案登録第３１６５４０１号公報
【発明の概要】
【発明が解決しようとする課題】
【０００４】
ところで、実際に何人かの足を測定してみると、足指の間隔と足指の股の位置が足の大きさにほぼ比例すること、及び、足指先端付近よりも足指の付け根付近の間隔の方が狭いことがわかった。
一方で、上記特許文献１に記載の発明は、清掃棒を基部本体に平行に設けているので、一種類の清掃具では足の大小による足指の間隔の違いに対応できず、さらに、足指の先端付近と足指の付け根付近における足指の間隔の違いに対応することができない。
本発明は、このような問題に鑑みて、足指の股に四本の清掃用部材を挿入することで足指の股を洗浄する足清掃具において、一つの足用の清掃具で、異なる大きさの足に対応できるとともに、足指の位置における間隔の相違にも対応できるようにすることを課題とする。
【課題を解決するための手段】
【０００５】
上記課題を解決するために、本発明は次のような構成を有する。
請求項１に記載の発明は、少なくとも外周面が繊維質またはスポンジ質の材料で形成された棒体又は紐体からなる清掃用部材を四本横に並べた構成を有する清掃部であって、外側の二本の清掃用部材は一端側から他端側に向かって互いの間隔が徐々に狭くなる部分である傾斜部分を有し、内側の二本の清掃用部材は紐体又は可撓性のある棒体からなり、前記傾斜部分に重なる範囲において、平行又は一端側から他端側に向かって互いの間隔が徐々に狭くなる部分を有するものである清掃部と、前記清掃用部材の一端側すべてを固定する棒状体又はブロック体からなる第一支持部と、前記清掃用部材の他端側すべてを固定する棒状体又はブロック体からなる第二支持部と、前記第一支持部と前記第二支持部とが一定間隔を保持するように第一支持部と、第二支持部とを連結固定する連結固定部とを有する足清掃具である。
【０００６】
請求項２に記載の発明は、前記足清掃具において、前記清掃用部材の内の外側の二本と内側の二本とは各清掃用部材の配列方向に直交する方向に互いにずれているものである。
【０００７】
請求項３に記載の発明は、前記足清掃具において、前記清掃用部材の内の少なくとも外側の二本は、各清掃用部材の配列方向に直交する方向に突出するように湾曲する棒体により形成されるものである。
請求項４に記載の発明は、前記足清掃具において、前記清掃用部材は１以上の棒体で構成されるとともに、この内の少なくとも一つが前記連結固定部を兼ねるものである。
請求項５に記載の発明は、前記足清掃具において、前記第一支持部と前記第二支持部のいずれか一方は、外側と内側のそれぞれを構成する隣接する二本の清掃用部材の端部を固定する部分に二分され、当該各部分に端部が固定される二本の清掃用部材のうち、いずれか一本は可撓性のある棒体により形成され、他方は可撓性のある棒体又は紐体により形成されるものである。
請求項６に記載の発明は、請求項１から３のいずれかに記載の足清掃具において、前記第一支持部と前記第二支持部のいずれか一方と、前記連結固定部を設けることに代えて、前記清掃用部材を全て棒体で構成したものである。
請求項７に記載の発明は、前記足清掃具において、前記第一支持部材又は前記第二支持部材にかかと用やすりが設けられるものである。
【発明の効果】
【０００８】
請求項１に記載の発明は、外側の二本の清掃用部材の間隔が一端から他端側に向かって互いに狭くなっていく部分を有するように形成されているので、足指の両外の隙間は、清掃用部材を挿入する位置を適宜選択することで、種々の大きさの足に適用でき、内側の二本の清掃用部材は、可撓性のある棒体又は紐体により構成されるので、足指の内側の二つの隙間は内側の清掃用部材が撓むことで足の大きさに対応できる。また、足指の位置に応じて清掃用部材の位置をずらすようにすれば足指の位置による間隔の相違にも対応することができる。
請求項２に記載の発明は、紐体又は可撓性のある棒体からなる内側の２本の清掃用部材が足指の付け根側に突出するようにして、各清掃用部材を対応する足指間に挿入し、足指の付け根側に移動させると、最初に紐体又は撓みやすい棒体からなる２本の清掃用部材が足指の付け根に達し、さらに、移動させると、これらの清掃用部材は撓んで、やがて、外側の２本の清掃用部材が足指の付け根に達する。つまり、足指の付け根の位置は足の前後方向にずれており、人によりずれ方が異なるが、上記のような動作によって、すべての清掃用部材は同時に足指の付け根に接触するようにでき、足指の付け根を効率的に洗浄することができる。
【０００９】
請求項３に記載の発明は、外側の清掃用部材が湾曲することで、足裏の指の付け根部分に沿いやすく、この部分の洗浄を容易に行うことができる。
請求項４に記載の発明は、清掃用部材により連結固定具を兼ねることで構造が簡易となり、コストダウン、製造の簡易化に資することができる。
請求項５に記載の発明は、分断された第一支持部又は第二支持部のそれぞれの清掃用部材の間に指を掛け、この掛けた指を操作することで清掃用部材同士の間隔の微調整を行なうことができる。
請求項６に記載の発明は、第一支持部と第二支持部のいずれかと、連結固定部とを省略することができるので、請求項４に記載の発明よりもさらに簡易な構造とすることができる。
請求項７に記載の発明は、前記第一支持部材又は前記第二支持部材にかかと用やすりを設けることで、角質化したかかとを削ることにも使用することができる。
【図面の簡単な説明】
【００１０】
【図１】（ａ）は実施形態１に係る足清掃具の正面図であり、（ｂ）は実施形態１に係る足清掃具の平面図であり、（ｃ）は実施形態１に係る足清掃具の側面図である。
【図２】実施形態１に係る足清掃具の使用状態を示す側面図である。
【図３】実施形態１に係る足清掃具の他の使用状態を示す側面図である。
【図４】（ａ）は実施形態２に係る足清掃具の正面図であり、（ｂ）は実施形態２に係る足清掃具の平面図であり、（ｃ）は実施形態２に係る足清掃具の側面図である。
【図５】（ａ）は実施形態３に係る足清掃具の正面図であり、（ｂ）は実施形態３に係る足清掃具の平面図であり、（ｃ）は実施形態３に係る足清掃具の側面図である。
【図６】（ａ）は第一の変形例に係る足清掃具の正面図であり、（ｂ）は第二の変形例に係る足清掃具の正面図である。
【図７】（ａ）は第三の変形例に係る足清掃具の正面図であり、（ｂ）は第四の変形例に係る足清掃具の正面図である。
【発明を実施するための形態】
【００１１】
以下、本発明の実施の形態について、図面を参照しながら説明する。
（実施形態１）
図１（ａ）に実施形態１に係る足清掃具Ｘの正面図を、図１（ｂ）に足清掃具Ｘの平面図を、図１（ｃ）に足清掃具Ｘの側面図を示す。足清掃具Ｘは、第一支持部材１０、第二支持部材２０、外側清掃用部材３０、３０、内側清掃用部材４０、４０から構成される。
第一支持部材１０は図における下辺を構成する棒体であり、中央がやや背面側に突出するように湾曲している。第二支持部材２０は図における上辺を構成する棒体であり、やはり中央がやや背面側に突出するように湾曲している。第一支持部材１０は第二支持部材２０よりも長くなるように形成されている。
【００１２】
外側清掃用部材３０、３０は第一支持部材１０、第二支持部材２０の両端部のそれぞれにおいて、これらの端部同士を連結する棒体である。外側清掃用部材３０も中央がやや背面側に突出するように湾曲している。第一支持部材１０は第二支持部材２０よりも長いので、二本の外側清掃用部材３０、３０同士は上方に向かって互いに近づくこととなる。第一支持部材１０、第二支持部材２０、外側清掃用部材３０は一本の金属の線材を上述した形状となるように曲げてリング状に形成したものであり、外周に繊維材を外装したものである。また、  外側清掃用部材３０、３０は第一支持部材１０と第二支持部材２０とを一定間隔をもって固定する連結固定部としての機能を有する。
内側清掃用部材４０、４０は化学繊維や天然繊維からなる二本の紐体であり、外側清掃用部材３０、３０の間において、一端が第一支持部１０に他端が第二支持部２０に連結固定されている。内側清掃用部材４０は、任意の横断面において、隣接する外側清掃用部材３０との間隔及び内側清掃用部材４０、４０同士の間隔がほぼ等しくなるように固定される。即ち、外側清掃用部材３０、３０、内側清掃用部材４０、４０は、横に並び、上方に向かって互いの間隔が狭くなるようになっている。また、外側清掃用部材３０、３０は内側清掃用部材４０、４０よりも撓みにくい硬質清掃用部材となる。そして、これらの外側清掃用部材３０、３０、内側清掃用部材４０、４０が主に足指間を清掃する清掃部を構成する。
【００１３】
次に、以上のような構成を有する足清掃具Ｘの使用方法について説明する。まず、足指間を清掃する場合には、外側清掃用部材３０、３０、内側清掃用部材４０、４０に石鹸を含ませた状態で、外側清掃用部材３０、３０の湾曲した凸側を足から離れる方向に向けて、外側清掃用部材３０、３０をそれぞれ親指と人差指の間、小指と薬指の間に挿入するとともに、内側清掃用部材４０、４０をそれぞれ人差指と中指の間、薬指と中指の間に挿入する。この際、足指の間隔に応じて、足清掃具Ｘの上下位置を調節し、使用者の足指の間隔に最も適した位置にずらして挿入するようにする。図２に足清掃具Ｘの使用状態を表す側面図を示す。外側清掃用部材３０、３０、内側清掃用部材４０、４０を足指の間に挿入したら、図のＡ方向及びＢ方向に足清掃具Ｘを動かして足指の内側面を擦り清掃を行う。
【００１４】
この際、足指の付け根部分の位置は前後にずれがあり、個人ごとにずれ具合が異なるが、外側清掃用部材３０、３０が湾曲している一方で、内側清掃用部材４０、４０が紐体であるので、足清掃具Ｘを足指の付け根側に移動させると、まず、真っ直ぐな内側清掃用部材４０、４０が足指の付け根に到達し、さらに、足清掃具Ｘを移動させると内側清掃用部材４０、４０は撓みながらやがて外側清掃用部材３０、３０が到達する。外側清掃用部材３０、３０は二箇所なので回転位置を調節することで必ず、足指の付け根に接触でき、内側清掃用部材４０、４０は撓むことで足指の付け根位置に維持できるので、足指の付け根の位置が個人ごとに異なっていても、同時に足指の付け根に、外側清掃用部材３０、３０、内側清掃用部材４０、４０を接触させることができる。
【００１５】
次に足裏を洗浄する場合は、外側清掃用部材３０、３０、内側清掃用部材４０、４０に石鹸を含ませた状態で足清掃具Ｘの表面又は裏面側で足裏全体を擦るようにする。そして、足裏の足指の付け根を洗浄する際には、図３に示すように、外側洗浄用部材３０の側面側を5本の足指の付け根に当接するようにして、Ｃ方向に動かして洗浄を行う。外側洗浄用部材３０は湾曲しているので、曲がって配置される足指の付け根に沿いやすく、洗浄しやすい。
本実施形態に係る足清掃具Ｘは、以上説明したように、外側清掃用部材３０、３０、内側清掃用部材４０、４０の間隔が長手方向の位置によって変わるので、種々の大きさの足に適用できる。また、外側清掃用部材３０、３０を湾曲させて、内側清掃用部材４０、４０を真っ直ぐに形成することですべての清掃用部材を同時に足指の付け根に当接させることができる。さらに、外側清掃用部材３０、３０を湾曲させることで、足裏の足指の付け根を効率的に洗浄することができる。
【００１６】
（実施形態２）
図４（ａ）に実施形態２に係る足清掃具Ｙの正面図を、図４（ｂ）に足清掃具Ｙの平面図を、図４（ｃ）に足清掃具Ｙの側面図を示す。足清掃Ｙは、第一支持部材１０Ａ、第二支持部材２０Ａ、外側清掃用部材３０、内側清掃用部材４０から構成される。足清掃具Ｙにおける外側清掃用部材３０、内側清掃用部材４０とは実施形態１に係る足清掃具Ｘの外側清掃用部材３０、内側清掃用部材４０と略同じなので説明は省略する。
第一支持部材１０Ａは、合成樹脂製又は木製の細長い楕円を底面とする扁平な柱体であり、外側清掃用部材３０、３０、内側清掃用部材４０、４０の下端面を固定する。第二支持部材２０Ａも、合成樹脂製又は木製の、第一支持部材１０Ａよりやや左右に短い細長い楕円を底面とする扁平な柱体であり、外側清掃用部材３０、３０、内側清掃用部材４０、４０の上端面を固定する。なお、外側清掃用部材３０、３０、内側清掃用部材４０、４０は実施形態１に係る足清掃具Ｘと同様に、上方に向かって互いの間隔が狭くなり、内側清掃用部材４０、４０の固定端は、外側清掃用部材３０、３０の固定端よりやや背面寄りに位置するようになっている。
そして、第二支持部材２０Ａの上面には、かかと用やすり２１が固定されている。かかと用やすり２１は、ここでは、ブロック体に硬い繊維で形成された不織布を巻きつけて固定したものが用いられる。かかと用やすり２１としては、この他に、一般的なかかと用や すりで用いられる素材を採用でき、硬い糸で形成された布、軽石、金属、ダイヤモンド粉末などの硬質な粉末を表面に固定したものなどが適宜用いることができる。実施形態２に係る足清掃具Ｙの使用方法は、実施形態１に係る足清掃具Ｘとほぼ同様であるが、かかと用やすり２１を用いてかかとの他、足裏全体の角質を削ることが可能である
【００１７】
（実施形態３）
図５（ａ）に実施形態３に係る足清掃具Ｚの正面図を、図５（ｂ）に足清掃具Ｚの平面図を、図５（ｃ）に足清掃具Zの側面図を示す。足清掃Ｙは、第一支持部材１０、第二支持部材２０B、外側清掃用部材３０、内側清掃用部材４０から構成される。足清掃具Ｚにおける第一支持部材１０、外側清掃用部材３０、内側清掃用部材４０とは実施形態１に係る足清掃具Ｘの第一支持部材１０、外側清掃用部材３０、内側清掃用部材４０と略同じなので説明は省略する。
第二支持部材２０Ｂは実施毛形態１に係る第二支持部材２０において、中央で一定距離を開けて分離している。具体的には、左右対称に外側清掃用部材３０の上端から内側清掃用部材４０の上端位置に至り、ここから下方に曲がり、曲がった先端部に内側清掃用部材４０の上端が固定されている。
このような構成を有する足清掃具Ｚは、金属の線材を芯とする外側清掃用部材３０、３０は可撓性を有するので、足指の間を清掃する際に、第二支持部材２０Ｂの両側上部に形成される逆Ｕ字状部分に指を掛け、左右に関して内側や外側に力を加えると外側清掃用部材３０、３０、内側清掃用部材４０、４０同士の間隔を微調整できるので、より簡易に使用者の足指間に適合させることができる。
【００１８】
（変形例）
なお、上記実施形態では、外側清掃用部材３０、３０が第一支持部１０、第二支持部２０を一定間隔をもって連結固定する連結固定部を兼ねているが、図６（ａ）の正面図に示すように、連結固定部５０を別途設けてもよい。このようにすると、外側清掃用部材３０、３０も紐体により形成することができる。連結固定部５０は図６（ａ）に示すように、第一支持部１０、第二支持部２０の側面側に設けるほか、背面側に設けてもよい。
また、上記実施形態では、内側清掃用部材４０、４０を紐体としているが、内側清掃用部材４０、４０、外側清掃用部材３０、３０をすべて棒体とすれば、図６（ｂ）に示すように内側清掃用部材４０、４０、外側清掃用部材３０、３０は一端側だけ支持すれば自立するので、第一支持部１０、第二支持部２０のいずれか一方を無くすことができる。なお、内側清掃用部材４０、４０、外側清掃用部材３０、３０は可撓性のあるものとすることが望ましい。
さらに、上記実施形態では、外側清掃用部材３０、３０、内側清掃用部材４０、４０は、一端側から他端側に向かって一律に互いの間隔が小さくなるように構成されているが、図７（ａ）に示すように、一端側から他端側に向かって、互いの間隔が広くなり、途中から互いの間隔が狭くなるようにしたり、図７（ｂ）に示すように、一端側から他端側に向かって互いの間隔が狭くなり、途中から互いの間隔が広くなるようにしたりしてもよい。このようにしても、上下方向で適宜外側清掃用部材３０、３０の間隔が変わるので、適当な間隔を選択して足指の間を洗浄することができる。
【００１９】
そして、上記実施形態において、内側清掃用部材４０、４０を紐体とする代わりにこれらを棒体としてもよい。この場合、内側清掃用部材４０、４０を構成する棒体は、外側清掃用部材３０、３０よりもより柔らかく可撓性の高いものにすることが望ましい、これによって、足指の付け根に当接させる際に、よりスムーズに全ての清掃用部材を当接させることができる。
それから、上記実施形態において、内側清掃用部材４０、４０は一端側から他端側に向かって間隔が狭くなるように形成しているが、内側清掃用部材４０、４０は紐体や可撓性の棒体で形成することで、互いに平行に形成してもよい。
また、外側清掃用部材３０、３０、内側清掃用部材４０、４０を棒体とする場合に、棒体を外装する繊維材として、糸の他に、織物、編み物、不織布などを用いることができ、さらに、合成樹脂スポンジを用いることもできる。また、芯となる部分は金属の他、合成樹脂の棒を用いてもよい。
さらに、外側清掃用部材３０、３０、内側清掃用部材４０、４０の断面形状として、円形の他、左右に薄い楕円形や、長方形状にしてもよい。このように左右に薄くして前後に長い形状とすれば、足指の側面を広い範囲で擦ることができる。
それから、上記実施形態では、外側清掃用部材３０、３０を棒体、内側清掃用部材４０、４０を紐体としているが、外側清掃用部材３０、３０を紐体、内側清掃用部材４０、４０を棒体としてもよい。この場合は、内側清掃用部材４０、４０が連結固定部としての機能を果たすこととなる。
【符号の説明】
【００２０】
Ｘ、Ｙ、Ｚ、Ｐ、Ｑ、Ｒ、Ｓ  足洗浄具
１０、１０Ａ  第一支持部材
２０、２０Ａ、２０Ｂ  第二支持部材
２１  かかと用やすり
３０  外側清掃用部材
４０  内側清掃用部材
５０  連結部材
【図１】
2014057629.tif 000003
【図２】
2014057629.tif 000004
【図３】
2014057629.tif 000005
【図４】
2014057629.tif 000006
【図５】
2014057629.tif 000007
【図６】
2014057629.tif 000008
【図７】
2014057629.tif 000009
【手続補正書】
【提出日】平成25年1月10日(2013.1.10)
【手続補正１】
【補正対象書類名】特許請求の範囲
【補正対象項目名】請求項１
【補正方法】変更
【補正の内容】
【請求項１】
少なくとも外周面が繊維質またはスポンジ質の材料で形成された棒体又は紐体からなる清掃用部材を四本横に並べた構成を有する清掃部であって、外側の二本の清掃用部材は一端側から他端側に向かって互いの間隔が徐々に狭くなる部分である傾斜部分を有し、内側の二本の清掃用部材は紐体又は可撓性のある棒体からなり、前記傾斜部分に挟まれる範囲において、平行又は一端側から他端側に向かって互いの間隔が徐々に狭くなる部分を有するものである清掃部と、
前記清掃用部材の一端側すべてを固定する棒状体又はブロック体からなる第一支持部と、
前記清掃用部材の他端側すべてを固定する棒状体又はブロック体からなる第二支持部と、
前記第一支持部と前記第二支持部とが一定間隔を保持するように第一支持部と、第二支持部とを連結固定する連結固定部と
を有する足清掃具。
【手続補正２】
【補正対象書類名】明細書
【補正対象項目名】０００５
【補正方法】変更
【補正の内容】
【０００５】
上記課題を解決するために、本発明は次のような構成を有する。
請求項１に記載の発明は、少なくとも外周面が繊維質またはスポンジ質の材料で形成された棒体又は紐体からなる清掃用部材を四本横に並べた構成を有する清掃部であって、外側の二本の清掃用部材は一端側から他端側に向かって互いの間隔が徐々に狭くなる部分である傾斜部分を有し、内側の二本の清掃用部材は紐体又は可撓性のある棒体からなり、前記傾斜部分に挟まれる範囲において、平行又は一端側から他端側に向かって互いの間隔が徐々に狭くなる部分を有するものである清掃部と、前記清掃用部材の一端側すべてを固定する棒状体又はブロック体からなる第一支持部と、前記清掃用部材の他端側すべてを固定する棒状体又はブロック体からなる第二支持部と、前記第一支持部と前記第二支持部とが一定間隔を保持するように第一支持部と、第二支持部とを連結固定する連結固定部とを有する足清掃具である。